(57)【要約】【課題】組み込まれる記録再生装置の小型化を実現しつつ、ディスクカートリッジが挿脱自在に装填できるディスクカートリッジ装填装置を提供する。【解決手段】ホルダ４内に装填されたディスクカートリッジ１を開口端４ｋから突出させるディスクカートリッジ突出機構は、ホルダ４の一側壁４ｂを貫通しカートリッジ１の端面に当接する突片６ｄを有するとともに、一側壁４ｂに沿って移動可能に支持された可動部材６と、一側壁４ｂの外側近傍で一側壁４ｂ、可動部材６に形成された被引掛け部４ｅ、６ａ各々に各端部５ａ、５ｃが引掛けられて、可動部材６を開口端４ｋに向けて付勢する引張コイルバネ５と、よりなる。引張コイルバネ５の一端部５ａが鉤状に湾曲し、この先端５ｂがコイルバネ部の外方に延出しており、先端５ｂがコイルバネ部の軸心に対する捩り弾発力を受けながら一側壁４ｂに圧接されている。【選択図】      図２
2004296037.tif 000002
【特許請求の範囲】
【請求項１】
開口端を有しこの開口端からディスクカートリッジが挿脱されるホルダと、このホルダ内に装填された前記ディスクカートリッジを前記開口端から突出させるディスクカートリッジ突出機構と、を備え、前記ディスクカートリッジ突出機構は、前記ホルダの一側壁を貫通し前記ディスクカートリッジの端面に当接する突片を有するとともに、前記一側壁に沿って移動可能に支持された可動部材と、前記一側壁の外側近傍で前記一側壁及び前記可動部材に形成された被引掛け部各々に各端部が引掛けられて、前記可動部材を前記開口端に向けて付勢する引張コイルバネと、よりなるディスクカートリッジ装填装置において、
前記引張コイルバネの各端部のうちの少なくとも一端部が鉤状に湾曲し、この一端部の先端がコイルバネ部の外方に延出しており、前記先端が前記コイルバネ部の軸心に対する捩り弾発力を受けながら前記一側壁に圧接されていることを特徴とするディスクカートリッジ装填装置。
【請求項２】
前記各端部は、前記引張コイルバネが前記軸心に対して捩り込まれた状態で前記各被引掛け部に引掛けられていることを特徴とする請求項１に記載のディスクカートリッジ装填装置。
【発明の詳細な説明】
【０００１】
【発明の属する技術分野】
本発明は、ミニディスク（以下、「ＭＤ」と記すことがある）やフロッピー（Ｒ）ディスク（以下、「ＦＤ」と記すことがある）等の情報記録媒体を収納したディスクカートリッジが挿脱自在に装填されるディスクカートリッジ装填装置に関し、特に、開口端を有しこの開口端からディスクカートリッジが挿脱されるホルダと、このホルダ内に装填されたディスクカートリッジをホルダの開口端から突出させるディスクカートリッジ突出機構と、を備えたディスクカートリッジ装填装置に関する。
【０００２】
【従来の技術】
一般に、この種のディスクカートリッジ装填装置は、ミニコンポや携帯式のＭＤプレイヤー、或いはパーソナルコンピュータに搭載のＦＤドライブといった記録再生装置に組み込まれる。以下、ＭＤプレイヤーをその代表例として採り上げ説明していく。
【０００３】
図３〜図８に示すように、情報記録媒体であるＭＤ１ｂを収納したディスクカートリッジ（以下、「ＭＤカートリッジ」と記すことがある）１が装填される従来からのＭＤプレイヤー（例えば、特許文献１参照）は、キャビネット２及び、このキャビネット２に対して基軸２ｄを支点にＧ−Ｈ方向に回動可能に支持された上蓋２ａから外形が構成され、キャビネット２の内部には、ＭＤ１ｂに対して記録再生処理を行う記録再生手段（不図示）を有する基板３が配設されている。つまり、上蓋２ａがキャビネット２に対しＧ方向に回動することにより開かれて、ＭＤカートリッジ１の着脱操作がなされる態様（図３〜図５参照）と、これとは逆に上蓋２ａがＨ方向に回動することにより閉じられて、ＭＤ１ｂに対して記録再生処理がなされる態様（図６〜図８参照）と、をとり得る。
【０００４】
引き続き、より具体的な構成を述べる。上蓋２ａ内には、これとともに基軸２ｄを支点にＧ−Ｈ方向に回動可能にホルダ４が支持されており、上蓋２ａが開かれた状態で開口端４ｋが開放され、これによりその開口端４ｋからＭＤカートリッジ１が挿脱されて着脱されるようになっている。ここで、ホルダ４は、ＭＤカートリッジ１の両側それぞれを挿脱自在に案内する側壁４ａ、４ｂと、ＭＤカートリッジ１の下面を挿脱自在に案内して支持する支持部４ｃ、４ｄと、一側壁４ｂに突設され後述の引張コイルバネ５の一端部５ａが引掛けられる孔４ｆを有する被引掛け部４ｅと、同じく一側壁４ｂに突設された軸部４ｇと、同じく一側壁４ｂにＡ−Ｂ方向（ＭＤカートリッジ１の挿脱方向）に沿って形成された長孔４ｈと、基軸２ｄに遊嵌し回動の支点となる貫通孔４ｊと、を備える。
【０００５】
また、ホルダ４の一側壁４ｂの外側近傍には、これに沿って板状の可動部材６が配設されている。この可動部材６は、ホルダ４の一側壁４ｂにおける軸部４ｇに係合するＡ−Ｂ方向のスリット６ｂと、同じく一側壁４ｂにおける長孔４ｈに係合する折曲片６ｃと、が設けられており、これらによりホルダ４に対しＡ−Ｂ方向に移動可能に支持されている。ここで、可動部材６は、折曲片６ｃからホルダ４内に突出しＭＤカートリッジ１の端面に当接する突片６ｄと、後述の引張コイルバネ５の他端部５ｃが引掛けられる鉤状の被引掛け部６ａと、を備える。
【０００６】
更にホルダ４の一側壁４ｂの外側近傍には、これに沿って引張コイルバネ５が配設されている。この引張コイルバネ５は、図９に示すように、一端部５ａが鉤状に湾曲しつつ、この先端５ｂがコイルバネ部の外方に延出するとともに、他方の他端部５ｃが閉じたリング状になっており、コイルバネ部の軸心に対するＪ−Ｋ方向いずれにも捩り込まれていない状態で、他端部５ｃが可動部材６における被引掛け部６ａに引掛けられ、一端部５ａがホルダ４における被引掛け部４ｅの孔４ｆに引掛けられている。
【０００７】
ここで、引張コイルバネ５の一端部５ａが鉤状に湾曲されて延出されている理由は、組付けの際に、一端部５ａをホルダ４の被引掛け部４ｅに引掛け易くするとともに、組付けた後に、一端部５ａが振動や衝撃等によって被引掛け部４ｅから不用意に外れないようにするためである。また、このような形状の一端部５ａは、他端部５ｃのようなリング状に比して、容易かつ安価に製作できる利点がある。
【０００８】
このようにして、可動部材６はホルダ４に対しＢ方向に向けて付勢され、この付勢力により、ホルダ４内に装填されたＭＤカートリッジ１は、突片６ｄを介して開口端４ｋに向けて押圧状態にされる。なお、引張コイルバネ５における一端部５ａと他端部５ｃとの形状を相互に逆するとともに、それぞれの形状に見合った形状にホルダ４の被引掛け部４ｅと可動部材６の被引掛け部６ａとを形成したり、或いは、引張コイルバネ５をより容易かつ安価に製作する観点から、他端部５ｃの形状を一端部５ａと同様な鉤状にしたりする場合もある。
【０００９】
このような構成のＭＤプレイヤーによれば、図３〜図５に示すように、上蓋２ａがキャビネット２に対しＧ方向に開かれた状態で、ホルダ４の開口端４ｋからＭＤカートリッジ１がＡ−Ｂ方向に挿脱されて着脱される。その際、ＭＤカートリッジ１は、Ａ方向に挿入されて可動部材６の突片６ｄに端面が当接し、そのまま引張コイルバネ５の付勢力に抗しながら装着位置まで挿入される。この装着位置では、可動部材６がホルダ４に対しロック手段（不図示）で掛止され、これによりＭＤカートリッジ１は移動が規制されて装填が完了する。そして、図６〜図８に示すように、上蓋２ａがＨ方向に閉じられて、ＭＤカートリッジ１がキャビネット２内に収容され、この状態でＭＤ１ｂに対する記録再生処理がなされる。
【００１０】
続いて、使用者がイジェクト操作を行うと、上蓋２ａがＧ方向に開かれるとともに、ホルダ４がＧ方向に回動してその開口端４ｋが開放される。これと同時に、上記のロック手段によるホルダ４に対する可動部材６の掛止が解除されて、可動部材６が引張コイルバネ５の付勢力を受けてＢ方向に移動し、これにより、ホルダ４内に装填されているＭＤカートリッジ１は、突片６ｄを介してＢ方向に押圧されて開口端４ｋから突出される。そして、ＭＤカートリッジ１の脱着がなされる。
【００１１】
【特許文献１】
特開２００１−１０１７４９号公報（第３−４頁、第１図）
【００１２】
【発明が解決しようとする課題】
ところで、引張コイルバネ５に関しては、ＭＤカートリッジ１がホルダ４の開口端４ｋから確実に突出されることを前提として、ＭＤカートリッジ１が過度に飛び出さず、しかも、ＭＤカートリッジ１の挿入操作を違和感なく容易に行えるように、コイルバネ部の巻き数を最大限に増やしつつ、そのバネ定数を極力小さく設定するという配慮が施されている。
【００１３】
従って、引張コイルバネ５単体における一端部５ａと他端部５ｃとは、コイルバネ部の軸心に対するＪ−Ｋ方向の相互の相対角度（相対位置）が、単体毎に大きくばらつく傾向にある。そうすると、図１０及び図１１に示すように、被引掛け部４ｅに引掛けられた引張コイルバネ５における一端部５ａの先端５ｂは、ホルダ４の一側壁４ｂにＣ方向に接近したり（図中の符号「５ｂ１」参照）、或いは、一側壁４ｂからＤ方向に大きく離間したり（図中の符号「５ｂ２」参照）し、特に後者の先端５ｂ２の場合に、以下に示すような問題が生じる。
【００１４】
第１に、図１０に示すように、ＭＤカートリッジ１の着脱操作がなされる状態では、引張コイルバネ５の一端部５ａの先端５ｂ２と上蓋２ａの一側壁２ｃの外面との間隔Ｘ３が狭いため、その先端５ｂ２に使用者が指等を引掛けるという危険がある。第２に、図１１に示すように、ＭＤカートリッジ１がキャビネット２内に収容されてＭＤ１ｂに対する記録再生処理がなされる状態では、引張コイルバネ５の一端部５ａの先端５ｂ２とキャビネット２の一側壁２ｂの内面との間隔Ｘ４が狭いため、この間隔Ｘ４を十分に確保する事前の設計が要求され、結果としてＭＤプレイヤーの小型化を阻害する。
【００１５】
なお、上記の第２の問題は、ＭＤプレイヤー以外の記録再生装置であるミニコンポやＦＤドライブに組み込まれるディスクカートリッジ装填装置に対しても、同様に生じる。
【００１６】
そこで本発明は、上記の問題に鑑みてなされたものであり、組み込まれる記録再生装置の小型化を阻害することなく、ディスクカートリッジが挿脱自在に装填できるディスクカートリッジ装填装置を提供することを目的とするものである。
【００１７】
【課題を解決するための手段】
上記目的を達成するため、本発明によるディスクカートリッジ装填装置は、開口端を有しこの開口端からディスクカートリッジが挿脱されるホルダと、このホルダ内に装填された前記ディスクカートリッジを前記開口端から突出させるディスクカートリッジ突出機構と、を備え、前記ディスクカートリッジ突出機構は、前記ホルダの一側壁を貫通し前記ディスクカートリッジの端面に当接する突片を有するとともに、前記一側壁に沿って移動可能に支持された可動部材と、前記一側壁の外側近傍で前記一側壁及び前記可動部材に形成された被引掛け部各々に各端部が引掛けられて、前記可動部材を前記開口端に向けて付勢する引張コイルバネと、よりなるディスクカートリッジ装填装置において、前記引張コイルバネの各端部のうちの少なくとも一端部が鉤状に湾曲し、この一端部の先端がコイルバネ部の外方に延出しており、前記先端が前記コイルバネ部の軸心に対する捩り弾発力を受けながら前記一側壁に圧接されている。
【００１８】
これにより、引張コイルバネ単体における各端部相互の相対角度が、コイルバネ部の軸心に対して単体毎に大きくばらついても、被引掛け部に引掛けられた引張コイルバネにおける一端部の先端は、自己のコイルバネ部の有する捩り弾発力を受けながら、ホルダの一側壁に安定的に圧接状態にされる。つまり、引張コイルバネ単体における各端部相互の相対角度のばらつき度合いを問わず、その一端部の先端が組付け後に一定の位置に確保されるため、従来のような事前の設計での格別な配慮が不要となり、その結果として、このようなディスクカートリッジ装填装置が組み込まれる記録再生装置の小型化を達成できる。
【００１９】
【発明の実施の形態】
以下に、本発明の実施形態について図面を参照しながら詳述する。図１は本発明の一実施形態であるディスクカートリッジ装填装置が組み込まれた記録再生装置（ＭＤプレイヤー）におけるディスクカートリッジ（ＭＤカートリッジ）の着脱操作の際の状態を示す要部横断面図、図２はその記録再生装置におけるディスクカートリッジ内の情報記録媒体に対する記録再生処理の際の状態を示す要部横断面図である。なお、図中で図３〜図９と同じ名称で同じ機能を果たす部分には同一の符号を付し、重複する説明は省略する。
【００２０】
本実施形態において組付けられる引張コイルバネ５は、従来と同様に、一端部５ａが鉤状に湾曲しつつ、この先端５ｂがコイルバネ部の外方に延出するとともに、他方の他端部５ｃが閉じたリング状になっている（図９参照）。そして、このような引張コイルバネ５は、コイルバネ部の軸心に対するＫ方向に捩り込まれた状態で、他端部５ｃが可動部材６における被引掛け部６ａに引掛けられ、一端部５ａがホルダ４における被引掛け部４ｅの孔４ｆに引掛けられている。
【００２１】
このように引張コイルバネ５を組付けると、図１及び図２に示すように、ホルダ４の被引掛け部４ｅに引掛けられた引張コイルバネ５における一端部５ａの先端５ｂは、自己のコイルバネ部の有する捩り弾発力を受けながら、ホルダ４の一側壁４ｂに安定的に圧接状態にされる。つまり、引張コイルバネ５単体における各端部５ａ、５ｃ相互の相対角度が、コイルバネ部の軸心に対して単体毎に大きくばらついても、そのばらつき度合いを問わず、一端部５ａの先端５ｂが組付け後に一定の位置に確保される。
【００２２】
従って、ＭＤカートリッジ１の着脱操作がなされる状態では、引張コイルバネ５の一端部５ａの先端５ｂがホルダ４の一側壁４ｂからＤ方向に浮いてしまうことはなく、一端部５ａの先端５ｂと上蓋２ａの一側壁２ｃの外面との間隔Ｘ１が十分に広く確保される（図１参照）ため、その先端５ｂに使用者が指等を引掛けるという危険は一切生じない。また、ＭＤカートリッジ１がキャビネット２内に収容されてＭＤ１ｂに対する記録再生処理がなされる状態でも同様に、引張コイルバネ５の一端部５ａの先端５ｂとキャビネット２の一側壁２ｂの内面との間隔Ｘ２が十分に広く確保される（図２参照）ため、従来のような間隔Ｘ２を確保するという事前の設計での格別な配慮が不要となり、その結果として、このようなディスクカートリッジ装填装置が組み込まれるＭＤプレイヤーの小型化を達成できる。
【００２３】
なお、引張コイルバネ５の組付けに際し、単にコイルバネ部の軸心に対して捩り込んだ上で、各端部５ａ及び５ｃをそれぞれホルダ４の被引掛け部４ｅ及び可動部材６の被引掛け部６ａに引掛けることで足りるため、簡単であるという利点もある。
【００２４】
その他本発明は上記の実施形態に限定されず、本発明の趣旨を逸脱しない範囲で、種々の変更が可能である。例えば、引張コイルバネ５における一端部５ａと他端部５ｃとの形状を相互に逆するとともに、それぞれの形状に見合った形状にホルダ４の被引掛け部４ｅと可動部材６の被引掛け部６ａとを形成してもよい。また、引張コイルバネ５をより容易かつ安価に製作する観点から、他端部５ｃの形状を一端部５ａと同様な鉤状にしてもよい。勿論、ＭＤプレイヤー以外の記録再生装置であるミニコンポやＦＤドライブに組み込まれるディスクカートリッジ装填装置に対しても、有効である。
【００２５】
【発明の効果】
以上説明した通り、本発明のディスクカートリッジ装填装置によれば、引張コイルバネ単体における各端部相互の相対角度のばらつき度合いを問わず、被引掛け部に引掛けられた引張コイルバネにおける一端部の先端は、自己のコイルバネ部の有する捩り弾発力を受けながら、ホルダの一側壁に安定的に圧接状態にされるため、組付け後に一定の位置に確保される。従って、従来のような事前の設計での格別な配慮が不要となり、その結果として、このようなディスクカートリッジ装填装置が組み込まれる記録再生装置の小型化を達成できる。
【図面の簡単な説明】
【図１】本発明の一実施形態である記録再生装置におけるディスクカートリッジの着脱操作の際の状態を示す要部横断面図である。
【図２】本発明の一実施形態である記録再生装置におけるディスクカートリッジ内の情報記録媒体に対する記録再生処理の際の状態を示す要部横断面図である。
【図３】一般的な記録再生装置におけるディスクカートリッジの着脱操作の際の状態を示す平面図である。
【図４】図３の記録再生装置の縦断面図である。
【図５】図３の記録再生装置の横断面図である。
【図６】一般的な記録再生装置におけるディスクカートリッジ内の情報記録媒体に対する記録再生処理の際の状態を示す平面図である。
【図７】図６の記録再生装置の縦断面図である。
【図８】図６の記録再生装置の横断面図である。
【図９】一般的な記録再生装置に用いられる引張コイルバネの外観図である。
【図１０】図５の要部拡大図である。
【図１１】図８の要部拡大図である。
【符号の説明】
１    ＭＤカートリッジ（ディスクカートリッジ）
１ｂ    ＭＤ（情報記録媒体）
２    キャビネット
２ａ    上蓋
２ｂ，２ｃ    側壁
２ｄ    基軸
３    基板
４    ホルダ
４ａ，４ｂ    側壁
４ｃ，４ｄ    支持部
４ｅ    被引掛け部
４ｆ    孔
４ｇ    軸部
４ｈ    長孔
４ｊ    貫通孔
４ｋ    開口端
５    引張コイルバネ
５ａ    一端部
５ｂ    先端
５ｃ    他端部
６    可動部材
６ａ    被引掛け部
６ｂ    スリット
６ｃ    折曲片
６ｄ    突片
【図１】
2004296037.tif 000003
【図２】
2004296037.tif 000004
【図３】
2004296037.tif 000005
【図４】
2004296037.tif 000006
【図５】
2004296037.tif 000007
【図６】
2004296037.tif 000008
【図７】
2004296037.tif 000009
【図８】
2004296037.tif 000010
【図９】
2004296037.tif 000011
【図１０】
2004296037.tif 000012
【図１１】
2004296037.tif 000013